(57)【特許請求の範囲】
【請求項１】
容器口部の開口端を覆う円形で且つ中央部が上方に突出し、周縁が平坦な周縁部からなる天面板と、
該周縁部の外周端が内周面に連結された環状の外側筒部と、を備え、
前記周縁部の下面から下方に延びる断面円弧状の複数の係止壁と、
該係止壁の下部内周面には容器口部の外周面に設けられた環状突起を係止する係止部と、
が設けられたキャップ本体と、
該キャップ本体内に設けられ容器口部の開口端を覆うパッキンと、
からなるワンタッチキャップであって、
該パッキンは、
前記容器の開口端を覆う円形のシール板と該シール板から前記係止壁間を外方に延びた複数の被係止部とからなり、
該被係止部が前記外側筒部の内周面に形成されたパッキン止部によって上下動可能に係止され、
前記天面板の上方に突出した中央部を外方からの押圧力によって凹状に弾性反転させて前記係止壁を径方向外方に拡開することで前記係止壁の係止部が前記容器口部の環状突起から解除されてキャップが容器口部から離脱することを特徴とするワンタッチキャップ。
【発明の詳細な説明】
【技術分野】
【０００１】
本発明はインスタントコーヒーなどの粉体や、果汁やサラダ油などの液体等が充填されたリシールを要する容器などの開口部に取り付けられ、その開蓋を容易に行うことができるとともに、構造が簡単なワンタッチキャップに関する。
【背景技術】
【０００２】
従来、インスタントコーヒーや粉ミルクなどの容器口部に取り付けられるワンタッチキャップとしては、その弾性樹脂材からなる蓋の中央を押し下げるワンタッチ操作により容易に取り外せるようにしたものが開示されている。
例えば特許文献１（特公昭５５−１０４６５号公報）には、キャップの天板部を湾曲状に形成して、その樹脂材の弾性反転動作により容器開口との密封状態が切り換わるようにしたプラスチック蓋の押圧開放機構が記載されている。
また、特許文献２（特開２００７−１１２４９７号公報）には、天板と、天板周縁部に形成された薄肉部と、天板周縁から下方に垂下するように形成された内周に沿った突出部を有する筒状部と、天板内面から垂下し瓶口内面に密着嵌挿される内筒状部と、天面内面に形成されて瓶口天面と弾性変形して密着するリング状突起とを有するワンタッチキャップが記載されている。このワンタッチキャップは、瓶口部に装着密封され、キャップ天板の中央部を押し下げることにより外側へ開いた筒状部内面の突出部が瓶口部外面の顎部から外れて開放され、キャップを瓶口部から取り外せるようにしたものである。
【先行技術文献】
【特許文献】
【０００３】
【特許文献１】特公昭５５−１０４６５号公報
【特許文献２】特開２００７−１１２４９７号公報
【発明の概要】
【発明が解決しようとする課題】
【０００４】
しかしながら、前記特許文献１や２などに記載された従来のワンタッチキャップは、キャップ装着時において、キャップ天板部の弾性力により生じる容器口部への押圧力を確保できない場合があり、そのシール密封性に問題が生じることがあった。
さらに特許文献２のワンタッチキャップでは、内筒状部を瓶口の内部に挿入して開口部をシールしているため、キャップの抜き出し性が悪く、高齢者や幼児などではそのキャップ着脱の操作を容易に行えないという問題もあった。
【０００５】
本発明は前記従来の課題を解決するためになされたもので、キャップ装着時における容器口部とのシール密封性と、高齢者や幼児などでもキャップ着脱を容易に行うことができる操作性に優れたワンタッチキャップを提供することを目的とする。
【課題を解決するための手段】
【０００６】
本発明のワンタッチキャップは、
容器口部の開口端を覆う円形で且つ中央部が上方に突出し、周縁が平坦な周縁部からなる天面板と、
該周縁部の外周端が内周面に連結された環状の外側筒部と、を備え、
前記周縁部の下面から下方に延びる断面円弧状の複数の係止壁と、
該係止壁の下部内周面には容器口部の外周面に設けられた環状突起を係止する係止部と、
が設けられたキャップ本体と、
該キャップ本体内に設けられ容器口部の開口端を覆うパッキンと、
からなるワンタッチキャップであって、
該パッキンは、
前記容器の開口端を覆う円形のシール板と該シール板から前記係止壁間を外方に延びる複数の被係止部とからなり、
該被係止部が前記外側筒部の内周面に形成されたパッキン止部によって上下動可能に係止され、
前記天面板の上方に突出した中央部を外方からの押圧力によって凹状に弾性反転させて前記係止壁を径方向外方に拡開することで前記係止壁の係止部が前記容器口部の環状突起から解除されてキャップが容器口部から離脱することを特徴とする。
【発明の効果】
【０００７】
本発明によれば、キャップ本体内に設けられたパッキンは、容器の開口端を覆う円形のシール板を備え、係止壁間を外方に延びる被係止部がキャップ本体の外側筒部内周面に形成されたパッキン止部によって上下動可能に係止して、キャップ本体の天面板中央部を凹状に弾性反転させることで前記係止壁の係止部が前記容器口部の環状突起から解除されてキャップが容器口部から離脱させるようにしているので、キャップ装着時における容器口部へのパッキンによるシール密封性を高められるとともに、キャップ把持力の弱い高齢者や幼児などでもキャップ着脱の操作を容易に行うことができる。
【図面の簡単な説明】
【０００８】
【図１】本発明の実施例であるワンタッチキャップ１０を示す説明図であり、（ａ）はワンタッチキャップの縦断面図であり、（ｂ）はその底面図である。なお、（ａ）の縦断面図は（ｂ）のＡ−Ｂ矢視図となっている。
【図２】図１のワンタッチキャップからパッキンを外した状態を示す説明図であり、（ａ）は左半分断面、右半分側面を示す半断面図であり、（ｂ）はその底面図である。
【図３】図１のワンタッチキャップに設けるパッキンを示す説明図であり、（ａ）は左半分断面、右半分側面を示す半断面図であり、（ｂ）は平面図である。なお、（ａ）の半断面図は（ｂ）のＣ−Ｄ矢視図となっている。
【図４】ワンタッチキャップの容器口部への着脱の説明図であり、（ａ）は容器口部に装着したシール状態を示す断面図であり、（ｂ）は天面板の中央部を押圧した状態を示す断面図である。
【発明を実施するための形態】
【０００９】
本発明の実施形態に係るワンタッチキャップは、キャップ本体と、キャップ本体内に設けられ容器口部の開口端を覆うパッキンと、から構成される。
キャップ本体は、容器口部の開口端を覆う円形で且つ中央部が上方に突出し、周縁が平坦な周縁部からなる天面板と、周縁部の外周端が内周面に連結された環状の外側筒部と、を備えている。
また、周縁部の下面から下方に延びる断面円弧状の複数の係止壁と、係止壁の下部内周面には容器口部の外周面に設けられた環状突起を係止する係止部と、が設けられている。
そして、パッキンは、容器の開口端を覆う円形のシール板とシール板から係止部間を外方に延びる複数の被係止部とからなり、被係止部が外側筒部の内周面に形成されたパッキン止部によって上下動可能に係止され、天面板の上方に突出した中央部を外方からの押圧力によって凹状に弾性反転させて係止壁を径方向外方に拡開することで、係止壁の係止部が容器口部の環状突起から解除されてキャップが容器口部から離脱するように構成されている。
すなわち、本実施形態に係るワンタッチキャップは、キャップ本体内に上下動可能にパッキンを配置することによって、容器口部とのシール密封性を高めて内容物の漏れを確実に防止することができる。
さらに、本実施形態のワンタッチキャップには、容器の開口部内に挿入してシールする機構ではないため、キャップ把持力の弱い高齢者や幼児などでもキャップ着脱の操作を容易に行うことができる。
そして、天面板の中央部を外方から押す操作だけで確実にキャップのシール状態を解除でき、開栓後も容器口部へのリシールが容易である。
容器との係止部を有する係止壁とは離隔した外側筒部にパッキン止部を設けたため、パッキンをキャップ本体内に保持した状態でワンタッチキャップの容器からの着脱操作を容易に行うことができる。
【００１０】
ワンタッチキャップは、インスタントコーヒーや粉ミルク、清涼飲料水などのビン容器や缶容器などの開口部に装着される略円筒状のキャップであって、弾性を有した合成樹脂製のキャップ本体と、このキャップ本体内に装着される比較的軟質の材料からなるパッキンとで構成される。
【００１１】
キャップ本体は、容器口部の開口端を覆う円形で且つ中央部が上方に突出し、周縁が平坦な周縁部からなる天面板を有し、そして周縁部の外周端が内周面に連結された環状の外側筒部を備えている。
また、周縁部の下面には、下方に延びる断面円弧状の複数の係止壁と、その係止壁の下部内周面に係止部とが設けられ、係止部は容器口部の外周面に設けられた環状突起を係止している。
なお、キャップ本体は、例えばポリエチレン、ポリプロピレン、ポリエステル等の弾性のある合成樹脂を素材として、インジェクション成形等により一体的に製造される。
【００１２】
パッキンは、キャップ本体内に設けられ容器口部の開口端を密封するための軟質樹脂製のシール部材であって、容器の開口端を覆う円形のシール板と、このシール板の周囲からキャップ本体の係止壁間に対応した部位に外方に延びた被係止部とを備えており、平面視において略×字状に形成されている。
そして、このパッキンのシール板周囲から延びた被係止部が、キャップ本体の外側筒部の内周面に形成されたパッキン止部によって上下動可能に係止されるようになっている。
【実施例】
【００１３】
以下、本発明の実施例を図面に基づいて説明する。
図１は、本発明の実施例であるワンタッチキャップ１０を示す説明図であり、（ａ）はワンタッチキャップの縦断面図であり、（ｂ）はその底面図である。なお、（ａ）の縦断面図は（ｂ）のＡ−Ｂ矢視図となっている。
図２は、図１のワンタッチキャップからパッキンを外した状態のキャップ本体を示す説明図であり、（ａ）は左半分断面、右半分側面を示す半断面図であり、（ｂ）はキャップ本体の底面図である。
図３は、図１のワンタッチキャップに設けるパッキンを示す説明図であり、（ａ）は左半分断面、右半分側面を示す半断面図であり、（ｂ）は平面図である。なお、（ａ）の半断面図は（ｂ）のＣ−Ｄ矢視図となっている。
図４は、ワンタッチキャップの容器口部への着脱の説明図であり、（ａ）は容器口部に装着したシール状態を示す断面図であり、（ｂ）は天面板の中央部を押圧した状態を示す断面図である。
【００１４】
ワンタッチキャップ１０は、その中央部が上方に突出した天面板２１を有する略円筒状のキャップ本体２０と、このキャップ本体２０の内部に設けられるパッキン３０とからなる。
キャップ本体２０は、容器口部Ｙの開口端を覆う円形で且つ中央部２１ａが上方に突出した天面板２１を有しており、その天面板２１の外周部は平坦な周縁部２２を形成している。  そして、平坦な中央部２１ａは周縁部２２の内周端から内方且つ上方に延びる連結部を介して設けられている。
また、周縁部２２の外周端は環状の外側筒部２３の内周面と連結している。
更に、周縁部２２の下面からは、下方に延びる断面円弧状の複数の係止壁２４と、その係止壁２４の下部内周面に係止部２５とが設けられ、係止部２５は容器口部Ｙの外周面に設けられた環状突起Ｚを係止している。
【００１５】
容器口部Ｙの開口をシールするパッキン３０は、図３に示すように、略×字状のプラスチックやゴムなどの軟質板材からなり、キャップ本体２０内に設けられ上下動可能に配置されている。
すなわち、パッキン３０は、容器口部Ｙの開口端を密封するための軟質樹脂製のシール部材であって、容器の開口端を覆う円形のシール板３１と、このシール板３１の一部の部位が外方に延びた被係止部３２とを備えており、平面視において略×字状に形成されている。
すなわち、キャップ本体２０の天面板２１の周縁部２２の下面から下方に延びている係止壁２４間に位置して、円形のシール板３１の周縁から延びて複数の被係止部３２となり、キャップ本体２０の外側筒部２３の内周面に形成されたパッキン止部２６によって上下動可能に係止されるようになっている。
【００１６】
次に、以上のように構成されたワンタッチキャップ１０の使用形態について図４を用いて説明する。
図４（ａ）に示すように、ワンタッチキャップ１０は、容器口部Ｙに装着されてその環状突起Ｚにキャップ本体２０の係止壁２４に設けられた係止部２５を係止させた状態で保持されている。
このとき、容器口部Ｙの開口端は、パッキン３０のシール板３１によって覆われて密封されている。
すなわち、天面板２１の周縁部２２から下方に延びる断面円弧状の係止壁２４の係止部２５が、容器口部Ｙの外面に設けられている環状突起Ｚに係止してワンタッチキャップ１０の抜けを防止している。
このように、天面板２１の上方への弾性力により係止部２５が内方へ収縮し環状突起Ｚに係止することで、パッキン３０を容器口部Ｙの開口端に押圧密封し、容器内の内容物の洩れを防止する。
【００１７】
容器口部Ｙに装着されたワンタッチキャップ１０を取り外す際には、外方からワンタッチキャップ１０の天面板２１の中央部２１ａを下方に押圧する。
これによって、図４（ｂ）に示すように、上方に突出した天面板の中央部２１ａが凹状に弾性反転して若干凹面状となるとともに、天面板２１の周縁部２２から下方に延びて形成された係止壁２４が径方向外方に拡開する。即ち、係止壁２４が下方に向かって外方に延びるように変形される。
そして、係止壁２４の下部内周面に突出して設けられている係止部２５が容器口部Ｙの外面の環状突起Ｚから解除されてキャップが容器口部から離脱する。
このようにして、使用者はワンタッチキャップ１０の外周に形成されている外側筒部２３を把持して引き上げることによりワンタッチキャップ１０を取り外すことができる。
【００１８】
このとき、パッキン３０は、円形のシール板の周縁から延びている複数の被係止部３２がキャップ本体２０のパッキン止部２６により係止され、キャップ本体２０内に保持されるようになっている。
すなわち、天面板２１の中央部２１ａが上方に突出した状態（シール状態）から中央部２１ａが下方に押圧されて弾性反転状態（非シール状態）に変位する際に、キャップ本体２０内でのパッキン３０の上下動を可能として、パッキン３０をキャップ本体２０内に保持した状態でワンタッチキャップ１０を取り外すことができる。
これによって、例えば、透明樹脂で形成した天面板２１を透してパッキン３０上側にプリントされたマーカを使用者に視認させることでワンタッチキャップ１０の装着状態を容易に識別することもでき、容器内の内容物の吸湿などによる変質を防止することができる。
【００１９】
インスタントコーヒーなどの粉体容器では、キャップを回して開けるのが一般的である。このため、比較的大容量の粉体容器は、容器直径が大きく、片手では容器が持ちにくく、回して開けるキャップでは開閉しづらい。
本実施例のワンタッチキャップ１０は、キャップ本体２０の上部を押圧するという一つの操作によってキャップを開にすることができるとともに、キャップを取り外す場合は、外周に形成されている外側筒部２３を把持して引き上げるだけでよいという利点を有している。
【産業上の利用可能性】
【００２０】
本発明のワンタッチキャップは、インスタントコーヒーなどの粉体や、果汁やサラダ油などの液体等が充填されたリシールを要する容器などの開口部に取り付けられ、その開蓋を容易に行うことができるとともに、構造が簡単であるので、産業上の利用可能性が極めて高い。
【符号の説明】
【００２１】
１０    ワンタッチキャップ
２０    キャップ本体
２１    天面板
２１ａ  天面板の中央部
２２    周縁部
２３    外側筒部
２４    係止壁
２５    係止部
２６    パッキン止部
３０    パッキン
３１    シール板
３２    被係止部
Ｙ    容器口部
Ｚ    環状突起
【図１】
0005467688.tif 000002
【図２】
0005467688.tif 000003
【図３】
0005467688.tif 000004
【図４】
0005467688.tif 000005